【手続補正書】
【提出日】平成26年2月5日(2014.2.5)
【手続補正１】
【補正対象書類名】特許請求の範囲
【補正対象項目名】全文
【補正方法】変更
【補正の内容】
【特許請求の範囲】
【請求項１】
絞り開口を形成する絞り羽根を備える絞り機構と、前記絞り開口を通過する光の光路に対して挿脱されるＮＤフィルターとを有する光量調整装置であって、
前記ＮＤフィルターは、該ＮＤフィルターが光路に挿入されるときの先端側の中央部が挿入方向とは逆方向に凹んだ形状を有することを特徴とする光量調整装置。
【請求項２】
前記ＮＤフィルターが前記絞り開口の少なくとも一部を覆うように光路に挿入されるとき、前記絞り開口は前記絞り羽根の直線部分を用いて形成され、
前記ＮＤフィルターは、該ＮＤフィルターが光路に挿入されるときの先端側の中央部が直線部分を含むように凹んだ形状を有し、
前記ＮＤフィルターの挿入方向と前記絞り開口の直線部分とのなす角度をθｓｐとし、
前記ＮＤフィルターの挿入方向と前記ＮＤフィルターの直線部分とのなす角度をθｎｄとするとき、
０．０≦｜ｓｉｎ（θｓｐ−θｎｄ）｜＜０．４
なる条件式を満足することを特徴とする請求項１に記載の光量調整装置。
【請求項３】
前記ＮＤフィルターの前記先端側の中央部の透過率をＴａ、前記ＮＤフィルターの光束通過領域における最も低い透過率をＴｂとするとき、
１．５＜Ｔａ／Ｔｂ＜２００．０
なる条件式を満足することを特徴とする請求項１または２に記載の光量調整装置。
【請求項４】
前記ＮＤフィルターを駆動するＮＤフィルター駆動手段と、前記絞り開口の面積を変化させるように前記絞り羽根を駆動する絞り駆動手段とを有することを特徴とする請求項１乃至３のいずれか１項に記載の光量調整装置。
【請求項５】
前記ＮＤフィルターは、光路の侵入方向で透過率が異なる透過率分布を有することを特徴とする請求項１乃至４のいずれか１項に記載の光量調整装置。
【請求項６】
請求項１乃至５のいずれか１項に記載の光量調整装置を有する光学系と、該光学系によって形成された像を受光する撮像素子を有することを特徴とする撮像装置。
【手続補正２】
【補正対象書類名】明細書
【補正対象項目名】００１１
【補正方法】変更
【補正の内容】
【００１１】
本発明の光量調整装置は、絞り開口を形成する絞り羽根を備える絞り機構と、前記絞り開口を通過する光の光路に対して挿脱されるＮＤフィルターとを有する光量調整装置であって、
前記ＮＤフィルターは、該ＮＤフィルターが光路に挿入されるときの先端側の中央部が挿入方向とは逆方向に凹んだ形状を有することを特徴としている。
【手続補正３】
【補正対象書類名】明細書
【補正対象項目名】００１４
【補正方法】変更
【補正の内容】
【００１４】
本発明の光量調整装置は、光路中に配置され、絞り羽根２１、２２の駆動により絞り開口を変化させて、絞り開口を通過する光量を制限する絞り機構２を有する。絞り開口の光入射側又は光出射側の光路中に挿脱されるＮＤフィルター１を有する。ＮＤフィルター１は開口絞りの侵入方向であって、光束の通過する領域の違いにより透過率が異なる透過率分布を有している。ＮＤフィルター１は、絞り開口に侵入（挿入）するときの侵入側の先端領域（先端側）の中央部が絞り開口へ侵入するときの侵入方向と逆方向に凹んだＶ字形状、Ｕ字形状、円形状、楕円形状等からなる切り欠き部１０２を有している。
【手続補正４】
【補正対象書類名】明細書
【補正対象項目名】００１６
【補正方法】変更
【補正の内容】
【００１６】
ＨはＮＤフィルター１を光路中に配置したときのＮＤフィルター１の光束が通過する有効領域の幅（撮像画面の左右方向の幅）である。Ｐ０は、ＮＤフィルター１を光路中に挿入したときに光束が開口の中心部を通過する第１の領域である。Ｐ１、Ｐ２は、光束が開口の周辺部を通過する第２の領域である。切り欠き部１０２は、ＮＤフィルター１の先端領域１０１の中央部が絞り開口へ侵入するときの侵入方向Ａと逆方向に凹んだＶ字形状、Ｕ字形状、円形状、楕円形状等からなる。
【手続補正５】
【補正対象書類名】明細書
【補正対象項目名】００２２
【補正方法】変更
【補正の内容】
【００２２】
本実施例の光量調整装置は、絞り開放状態の絞り開口２ａ（Ｆ１．６）から任意の絞り開口２ｂ（Ｆ４．０）（Ｆ４ａ）までは絞り開口のみを変化させる。そしてさらに被写体が高輝度となった場合は、絞り開口は絞り開口２ｂ（Ｆ４ａ）のままで、ＮＤフィルター１を挿入することで透過率を低下させる（Ｆ４ｂ）（Ｆ４ｃ）。さらに、ＮＤフィルター１の最大駆動量まで透過率を低下させてからは（Ｆ４ｄ）、絞り開口２ｂの面積を小さくすることで通過する光量を少なくする、という制御をしている。
【手続補正６】
【補正対象書類名】明細書
【補正対象項目名】００２３
【補正方法】変更
【補正の内容】
【００２３】
本実施例では、開放状態をＦ１．６、任意の絞り開口２ｂをＦ４．０に相当する開口としている。このように制御することで、ＮＤフィルター１を挿入する前にある程度絞り開口を小さくし、ＮＤフィルター１が絞り開口２ｂを覆うのに必要な面積を小さくしている。また、Ｆ４．０相当と、ある程度大きな口径で絞り開口２ｂを維持した状態でＮＤフィルター１を挿入することで、絞り開口とＮＤフィルター１の端部とで形成される開口で発生する光の回折の影響を小さくしている。
【手続補正７】
【補正対象書類名】明細書
【補正対象項目名】００２５
【補正方法】変更
【補正の内容】
【００２５】
本実施例のＮＤフィルター１は絞り開口に侵入するときの侵入側の先端領域１０１に切り欠き部１０２を有している。すなわち図１、図３に示すように、ＮＤフィルター１の端部を上記の形状とすることにより、ＮＤフィルター１の端部の第２の領域Ｐ１・Ｐ２を結ぶ方向と、それとは垂直な方向の両方に、上記の位相差が発生するため、解像力の差異が小さくなる。更に、本実施例におけるＮＤフィルター１の端部を上記の形状とすることにより、ＮＤフィルター１の端部にある直線部分による光の回折で発生する強度の強い直線状の光芒は、撮影画面の上下方向に発生しなくなる。
【手続補正８】
【補正対象書類名】明細書
【補正対象項目名】００３１
【補正方法】変更
【補正の内容】
【００３１】
絞り機構２によって形成される面積または形状の異なる複数の絞り開口のうち、ＮＤフィルター１が絞り開口２ａの少なくとも一部を覆うように光路に挿入されるとき（図５のＦ４ａ）、絞り開口２ａは絞り羽根２１，２２の直線部分（開口直線部分）１０４を用いて形成されている。ＮＤフィルター１はＮＤフィルター１が光路に挿入されるときの先端側の中央部が直線部分（切り欠き直線部分）１０５を含むように凹んだ形状よりなっている。ＮＤフィルター１の挿入方向１０３と絞り開口２ａの直線部分（開口直線部分）１０４とのなす角度をθｓｐとする。ＮＤフィルター１の挿入方向１０３とＮＤフィルター１の直線部分１０５とのなす角度をθｎｄとする。このとき、
０．０≦｜ｓｉｎ（θｓｐ−θｎｄ）｜＜０．４  ・・・（１）
なる条件式を満足している。
【手続補正９】
【補正対象書類名】明細書
【補正対象項目名】００３３
【補正方法】変更
【補正の内容】
【００３３】
本実施例において、ＮＤフィルター１と絞り開口２ａ，２ｂの形状は、共に開口中心を通る前記ＮＤフィルター１挿脱方向の軸に対して線対称の形状となっているが、左右の角度を異ならせることにより、任意の角度を選択しても良い。更に好ましくは、条件式（１）は以下の範囲の如く設定することが良い。
【手続補正１０】
【補正対象書類名】明細書
【補正対象項目名】００３６
【補正方法】変更
【補正の内容】
【００３６】
ＮＤフィルター１の先端側の中央部の透過率をＴａ、ＮＤフィルター１の光束の通過領域における最も低い透過率をＴｂとする。このとき、
１．５＜Ｔａ／Ｔｂ＜２００．０  ・・・（２）
なる条件式を満足するのが良い。